(57)【要約】【課題】表示用パネルを外枠フレームの正規取付位置に確実に挿入して、表示用パネルが外枠フレームと干渉して損傷するのを防止する。【解決手段】表示用パネルを外枠フレーム内に嵌め込んでいる表示装置であって、前記外枠フレームの内周面に前記表示用パネルの外周面に当接させるクッションゴム材が固定されており、前記クッションゴム材の表示用パネル当接側の内面は、その表示側の前面側部を背面側に向けて突出させた傾斜面とすると共に、背面側部は表示用パネルの外周面と平行な直線面とし、前記外枠フレームに嵌合される前記表示用パネルの外周が前記クッションゴム材の傾斜面にガイドされて直線面に表示用パネルの外周面が当接される構成としている。【選択図】図１
2008233217.tif 000002
【特許請求の範囲】
【請求項１】
表示用パネルを外枠フレーム内に嵌め込んでいる表示装置であって、
前記外枠フレームの内周面に前記表示用パネルの外周面に当接させるクッションゴム材が固定されており、
前記クッションゴム材の表示用パネル当接側の内面は、その表示側の前面側部を背面側に向けて突出させた傾斜面とすると共に、背面側部は表示用パネルの外周面と平行な直線面とし、前記外枠フレームに嵌合される前記表示用パネルの外周が前記クッションゴム材の傾斜面にガイドされて直線面に表示用パネルの外周面が当接される構成としていることを特徴とする表示装置。
【請求項２】
前記クッションゴム材の形状を、内面に前記傾斜面と直線面とを備えた形状とすると共に前記外枠フレームに接着固定する外面を前記内側の直線面に平行な直線面としている請求項１に記載の表示装置。
【請求項３】
前記クッションゴム材はシート状であり、前記外枠フレームのクッションゴム材の固定位置に突起部を設け、該突起部の内面は前面部側から背面側に向けて傾斜面を設けると共に該傾斜面に連続する後面側部を直線面とし、該突起部の内面に前記シート状のクッションゴム材を接着固定している請求項１に記載の表示装置。
【請求項４】
前記クッションゴム材は発泡シリコンまたは非発泡シリコンからなり、前記外枠フレームは金属製または樹脂製からなり、前記クッションゴム材と当接する前記表示用パネルの外周面はガラス基板からなる請求項１乃至請求項３のいずれか１項に記載の表示装置。
【請求項５】
前記クッションゴム材は、四角枠形状の前記外枠フレームの内周面に部分的に固定し、該固定位置は４隅に近接する位置である請求項１乃至請求項４のいずれか１項に記載の表示装置。
【請求項６】
前記クッションゴム材は、前記表示用パネルの外周面に当接する直線面の長さを１．５〜２ｍｍとすると共に該直線面は前記外枠フレームの内周面から５〜１０ｍｍ突出する位置となる厚さとし、かつ、前記傾斜面の傾斜角度を４５度以上としている請求項１乃至請求項５のいずれか１項に記載の表示装置。
【請求項７】
前記表示用パネルは液晶パネルである請求項１乃至請求項６のいずれか１項に記載の表示装置。
【発明の詳細な説明】
【技術分野】
【０００１】
本発明は、表示装置に関し、詳しくは、液晶パネル等の表示用パネルを外枠フレームへ確実に位置決め保持する構造に関するものである。
【背景技術】
【０００２】
従来、液晶表示装置等の表示装置では、筐体となる外枠フレーム内に表示用パネルを位置決め固定している。該表示用パネルの外枠フレームへの位置決め固定には、表示用パネルと外枠フレームとの間にゴム等からなる弾性部材を介在させて、表示用パネルのガタつきにより表示用パネルの端部が外枠フレームと干渉して損傷するのを防止している。
【０００３】
例えば、表示用パネルが表示面に対して直交する方向に移動しないようにするために、特開平９−７３０７１号公報（特許文献１）では、図５に示すように、表示用パネル１を、外枠フレーム２の内面に設けた弾性部材３と外枠フレーム２内に配置したスペーサ４の突起５で両面側から挟持して位置決め固定している。
一方、表示用パネルが表示面に対して平行に移動しないようにする場合には、図６に示すように、表示用パネル１の外周面１ａと外枠フレーム２との間に弾性部材３を介在させて、表示用パネル１を位置決め固定している。このとき、表示用パネル１の外周面１ａと弾性部材３の内面３ａとを当接させている。
【０００４】
図６に示した表示用パネル１の位置決め構造では、図６（Ａ）の矢印で示すように、表示面側となる前面側から表示用パネル１を外枠フレーム２に挿入するため、弾性部材３の前面側端面３ｂが表示用パネル１の挿入方向に対して直交方向の直線面であると、図６（Ｂ）に示すように、表示用パネル１が弾性部材３の内面３ａ側に挿入されずに、前面側端面３ｂ上に乗り上げた状態となるおそれがある。
前記弾性部材３は非常に小さな部材であるため、表示用パネル１が正規位置で位置決めされているか弾性部材３上に乗り上げているかを目視で判断するのは困難であり、作業員が表示用パネル１が正規位置で位置決め固定されずに弾性部材３上に乗り上げていることを見過ごしてしまうと、外枠フレーム２の前面側にベゼルを取り付けた後にも表示用パネル１がガタつき、外枠フレーム２に干渉して損傷してしまうおそれがある。また、表示用パネル１が位置ズレして光源からの光がもれてしまうおそれもある。
【０００５】
【特許文献１】特開平９−７３０７１号公報
【発明の開示】
【発明が解決しようとする課題】
【０００６】
本発明は前記問題に鑑みてなされたものであり、表示用パネルを外枠フレームの正規取付位置に確実に挿入して、表示用パネルがガタつきにより外枠フレームと干渉して損傷するのを防止することを課題としている。
【課題を解決するための手段】
【０００７】
前記課題を解決するため、本発明は、表示用パネルを外枠フレーム内に嵌め込んでいる表示装置であって、
前記外枠フレームの内周面に前記表示用パネルの外周面に当接させるクッションゴム材が固定されており、
前記クッションゴム材の表示用パネル当接側の内面は、その表示側の前面側部を背面側に向けて突出させた傾斜面とすると共に、背面側部は表示用パネルの外周面と平行な直線面とし、前記外枠フレームに嵌合される前記表示用パネルの外周が前記クッションゴム材の傾斜面にガイドされて直線面に表示用パネルの外周面が当接される構成としていることを特徴とする表示装置を提供している。
【０００８】
前記構成によれば、前記外枠フレームに表示用パネルを表示側から挿入すると、表示用パネルの外周が前記クッションゴム材の前面側部の傾斜面にガイドされて、背面側部の直線面に当接される正規位置に配置される。このように、クッションゴム材の前面側を表示用パネルの挿入方向に対して直交する直線面とせずに傾斜面として表示用パネルを確実に正規位置までガイドできるようにしているため、表示用パネルがクッションゴム材の前面側に乗り上げてガタついたり、外枠フレームと干渉して損傷したりするのを防止することができる。また、表示用パネルが位置ズレすることなく正規位置に位置決めされるため、光源からの光がもれることもない。
【０００９】
また、表示用パネルの外枠フレームへの挿入時に、表示用パネルが正規位置まで挿入されず、表示用パネルの外周がクッションゴム材の傾斜面上に配置されていたとしても、外枠フレームの前面側にベゼルを取り付けたときに、該ベゼルにより表示用パネルがクッションゴム材の傾斜面に沿って背面側へ押し込まれ、表示用パネルを正規位置まで挿入して、表示用パネルの外周面とクッションゴム材の直線面とを当接させることができる。これにより、表示用パネルがクッションゴム材の前面側に乗り上げた状態でベゼルと外枠フレームに挟持されるのを防止でき、また、表示用パネル挿入時に表示用パネルがクッションゴム材の前面側に乗り上げていないかを作業員が目視により確認する必要がなくなり、作業効率を向上させることができる。
【００１０】
前記クッションゴム材の形状を、内面に前記傾斜面と直線面とを備えた形状とすると共に前記外枠フレームに接着固定する外面を前記内側の直線面に平行な直線面としている。
前記構成によれば、クッションゴム材に傾斜面を設けるだけでよく、外枠フレームの形状を変更する必要がない。
【００１１】
また、前記クッションゴム材はシート状であり、前記外枠フレームのクッションゴム材の固定位置に突起部を設け、該突起部の内面は前面部側から背面側に向けて傾斜面を設けると共に該傾斜面に連続する後面側部を直線面とし、該突起部の内面に前記シート状のクッションゴム材を接着固定してもよい。
前記構成によれば、小さな部材であるクッションゴム材に傾斜面を設ける必要がなく、外枠フレームに設けた突起部の内面に沿ってシート状のクッションゴム材を貼り付けるだけで、クッションゴム材の内面に傾斜面と直線面を設けることができる。
前記外枠フレームが樹脂成形品からなる場合には、外枠フレームに突起部を設けるために金型を若干変更するだけであるため、大幅にコストアップすることはない。
【００１２】
前記クッションゴム材は発泡シリコンまたは非発泡シリコンからなり、前記外枠フレームは金属製または樹脂製からなり、前記クッションゴム材と当接する前記表示用パネルの外周面はガラス基板からなることが好ましい。
【００１３】
前記クッションゴム材は、四角枠形状の前記外枠フレームの内周面に部分的に固定し、該固定位置は４隅に近接する位置であることが好ましい。
前記構成によれば、前記クッションゴム材を外枠フレームの内周面に部分的に設けているため、外枠フレームへの表示用パネルの挿入力が大幅に大きくなることがなく、表示用パネルを正規位置へ容易に挿入することができる。
また、表示用パネルの４隅に近接する位置をクッションゴム材で位置決めするため、表示用パネルを安定した状態で位置決めでき、表示用パネルを面方向のいずれの方向にも移動不可とすることができる。
なお、前記クッションゴム材は外枠フレームの辺の長さ方向に沿う長尺な部材としてもよい。
【００１４】
前記クッションゴム材は、前記表示用パネルの外周面に当接する直線面の長さを１．５〜２ｍｍとすると共に該直線面は前記外枠フレームの内周面から５〜１０ｍｍ突出する位置となる厚さとし、かつ、前記傾斜面の傾斜角度を４５度以上としていることが好ましい。
前記クッションゴム材の直線面の長さを１．５〜２ｍｍとすると、該直線面と当接する表示用パネルの厚さは１．４〜１．７ｍｍであるため、表示用パネルの外周面を厚さ方向の全長に亙ってクッション材の直線面に当接することができ、表示用パネルを安定保持できる。
また、前記クッションゴム材の直線面を外枠フレームの内周面から５〜１０ｍｍ突出する位置としているため、クッションゴム材を設けていない箇所では、外枠フレームの内周面と表示用パネルの外周面との間に十分な隙間を設けることができ、表示用パネルが外枠フレームと干渉するのを防止することができる。
さらに、前記クッションゴム材の傾斜面の傾斜角度を４５度以上としているため、該傾斜面により表示用パネルの外周面をスムーズにガイドでき、表示用パネルがクッションゴム材の前面側に乗り上げるのを確実に防止することができる。
【００１５】
前記表示用パネルは液晶パネルであることが好ましい。
また、液晶パネルに限らず、ＰＤＰ（Plasma Display Panel）、有機・無機ＥＬ（Electronic Luminescence）等の他の表示用パネルであってもよい。
【発明の効果】
【００１６】
前述したように、本発明によれば、外枠フレームに表示用パネルを表示側から挿入すると、表示用パネルの外周がクッションゴム材の前面側部の傾斜面にガイドされて、背面側部の直線面に当接される正規位置に配置されるため、表示用パネルがクッションゴム材の前面側に乗り上げてガタついたり、外枠フレームと干渉して損傷したりするのを防止することができる。
【発明を実施するための最良の形態】
【００１７】
本発明の実施形態を図面を参照して説明する。
図１乃至図３に、本発明の第１実施形態を示す。
本実施形態の表示装置は、２枚のガラス基板間に液晶を封入した液晶パネル１０をアルミニウム製の外枠フレーム１１内に嵌め込み、該液晶パネル１０の背面側にプリズムシートや拡散シート等からなる光学シート群とバックライト（いずれも図示せず）を順に配置し、外枠フレーム１１の前面側にベゼル１２、背面側にバックシャーシ（図示せず）を組み付けた液晶表示装置である。
【００１８】
前記外枠フレーム１１は四角枠形状のフレーム本体１１ａと、該フレーム本体１１ａの内周面から全周に亙って内方へ突出する支持リブ１１ｂを備えている。外枠フレーム１１の内面には、各隅部を挟む近接位置に計８個のクッションゴム材２０を設けており、図２に示すように、該クッションゴム材２０の外面をフレーム本体１１ａの内面に接着固定すると共に、底面を支持リブ１１ｂの前面に接着固定している。
【００１９】
前記クッションゴム材２０は発泡シリコンからなり、表示用パネル当接側の内面は、図２に示すように、表示側の前面側部を背面側に向けて突出させた傾斜面２０ａとすると共に、背面側部は表示用パネルの外周面１０ａと平行な直線面２０ｂとし、外枠フレーム１１のフレーム本体１１ａに接着固定する外面を内側の直線面２０ｂに平行な直線面２０ｃとしている。
前記クッションゴム材２０は、表示用パネル１０の外周面１０ａに当接する直線面２０ｂの長さＬ１を１．５〜２ｍｍ、直線面２０ｂと２０ｃの離間距離である厚さＬ２を５〜１０ｍｍ、傾斜面２０ａの水平面に対する傾斜角度αを４５度以上としており、本実施形態では、Ｌ１を２．０ｍｍ、Ｌ２を５．０ｍｍ、αを６０度としている。
【００２０】
前記液晶パネル１０は外枠フレーム１１に表示側より嵌め込んでおり、液晶パネル１０の外周がクッションゴム材２０の傾斜面２０ａにガイドされて、液晶パネル１０が正規位置まで挿入される。このとき、液晶パネル１０のガラス基板の外周面１０ａがクッションゴム材２０の直線面２０ｂと当接されると共に、液晶パネル１０の背面の周縁が外枠フレーム１１の支持リブ１１ｂ上に載置されて位置決め固定される。
【００２１】
一方、液晶パネル１０を外枠フレーム１１へ嵌め込む際に、液晶パネル１０が前記の正規位置まで挿入されず、液晶パネル１０の外周がクッションゴム材２０の傾斜面２０ａ上に配置されていたとしても、図３に示すように、外枠フレーム１１の前面側にベゼル１２を取り付けたときに、該ベゼル１２により液晶パネル１０がクッションゴム材２０の傾斜面２０ａに沿って背面側へ押し込まれ、液晶パネル１０の外周面１０ａとクッションゴム材２０の直線面２０ｂとが当接される。
【００２２】
前記構成によれば、外枠フレーム１１に液晶パネル１０を表示側から挿入すると、液晶パネル１０の外周がクッションゴム材２０の前面側部の傾斜面２０ａにガイドされて、背面側部の直線面２０ｂに当接される正規位置に配置される。これにより、液晶パネル１０がクッションゴム材２０の前面側に乗り上げた状態のまま、外枠フレーム１１にベゼル１２が組み付けられることがなく、液晶パネル１０がガタついたり、外枠フレーム１１と干渉して損傷したりするのを防止することができる。
なお、本実施形態では、外枠フレーム１１をアルミニウムからなる金属製としているが樹脂製であってもよい。また、クッションゴム材２０は発泡シリコンに替えて非発泡シリコンにより形成してもよい。
【００２３】
図４に、本発明の第２実施形態を示す。
本実施形態では、クッションゴム材２０と外枠フレーム１１の形状を第１実施形態と相違させている。
即ち、クッションゴム材２０をシート状とする一方、外枠フレーム１１のクッションゴム材の固定位置に突起部１１ｃを設けている。該突起部１１ｃの内面は前面部側から背面側に向けて突出させた傾斜面１１ｃ−１を設けると共に該傾斜面１１ｃ−１に連続する後面側部を液晶パネル２０の外周面と平行な直線面１１ｃ−２とし、該突起部１１ｃの内面にシート状のクッションゴム材２０を接着固定して、クッションゴム材２０の内面を第１実施形態と同様の傾斜面２０ａと直線面２０ｂとしている。
【００２４】
前記構成としても、液晶パネル１０の外周がクッションゴム材２０の前面側部の傾斜面２０ａにガイドされて、背面側部の直線面２０ｂに当接される正規位置に配置され、液晶パネル１０がクッションゴム材２０の前面側に乗り上げてガタついたり、外枠フレーム１１と干渉して損傷したりするのを防止することができる。
なお、他の構成及び作用効果は第１実施形態と同様のため、同一の符号を付して説明を省略する。
【図面の簡単な説明】
【００２５】
【図１】本発明の第１実施形態の外枠フレームに液晶パネルを嵌め込んだ状態を示し、（Ａ）は平面図、（Ｂ）はＡ−Ａ線断面図である。
【図２】外枠フレームに液晶パネルを嵌め込んだ状態を示す要部拡大断面図である。
【図３】ベゼルの組み付けにより液晶パネルの配置位置が規制される状態を示す図面である。
【図４】本発明の第２実施形態を示す図面である。
【図５】従来例を示す図面である。
【図６】（Ａ）は他の従来例を示す図面、（Ｂ）は従来の問題点を示す図面である。
【符号の説明】
【００２６】
１０  液晶パネル
１０ａ  外周面
１１  外枠フレーム
１１ｃ  突起部
２０  クッションゴム材
２０ａ  傾斜面
２０ｂ、２０ｃ  直線面
【図１】
2008233217.tif 000003
【図２】
2008233217.tif 000004
【図３】
2008233217.tif 000005
【図４】
2008233217.tif 000006
【図５】
2008233217.tif 000007
【図６】
2008233217.tif 000008